(57)【特許請求の範囲】
【請求項１】
開き位置及び閉じ位置の間を移動してドア開口部を開閉するドアと、
上記ドアの開き位置及び閉じ位置のうちの少なくとも一方を移動開始位置とし他方を停止位置として、ドアが移動開始位置から停止位置に移動する際に該停止位置近くでドアを該ドアの移動方向に付勢する引込み付勢手段と、
上記引込み付勢手段によるドアの移動を減衰させる緩衝機構と、
磁石の吸引磁力によって上記ドアを停止位置に引き込んで保持する保持機構とを備え、
上記保持機構は、ドア開口部側及びドア側にそれぞれ設けられた磁石と、
一方の磁石において他方の磁石側の対向磁極が該対向磁極と異なる磁極又は同じ磁極と対向するように磁極の対向状態を切り換える磁極切換機構とを備えており、
上記磁極切換機構は、ドアが停止位置に保持されるときには、一方の磁石の上記対向磁極を該対向磁極と異なる磁極と対向するように切り換えることで、異なる磁極間の吸引磁力によりドアを停止位置に完全に保持する一方、ドアが停止位置から移動開始位置に逆方向に移動開始するときには、該ドアの逆方向の移動に連動して、一方の磁石の上記対向磁極を該対向磁極と同じ磁極と対向するように切り換えることで、同じ磁極間の反発磁力によりドアを引込み付勢手段の付勢力に抗して停止位置から移動開始位置に押し出すように構成されていることを特徴とするドア装置。
【請求項２】
開き位置及び閉じ位置の間を移動してドア開口部を開閉するドアと、
上記ドアの開き位置及び閉じ位置のうちの少なくとも一方を移動開始位置とし他方を停止位置として、ドアが移動開始位置から停止位置に移動する際に該停止位置近くでドアを該ドアの移動方向に付勢する引込み付勢手段と、
上記引込み付勢手段によるドアの移動を減衰させる緩衝機構とを備えたドア装置において、
上記引込み付勢手段のみではドアが停止位置に不完全に保持されるようになっており、
上記停止位置に不完全に保持されているドアを磁石の吸引磁力によって停止位置に完全に引き込んで保持する保持機構を備え、
上記保持機構は、ドア開口部側及びドア側にそれぞれ設けられた磁石と、
一方の磁石において他方の磁石側の対向磁極が該対向磁極と異なる磁極又は同じ磁極と対向するように磁極の対向状態を切り換える磁極切換機構とを備えており、
上記磁極切換機構は、ドアが停止位置に保持されるときには、一方の磁石の上記対向磁極を該対向磁極と異なる磁極と対向するように切り換えることで、異なる磁極間の吸引磁力によりドアを停止位置に完全に保持する一方、ドアが停止位置から移動開始位置に逆方向に移動開始するときには、該ドアの逆方向の移動に連動して、一方の磁石の上記対向磁極を該対向磁極と同じ磁極と対向するように切り換えることで、同じ磁極間の反発磁力によりドアを引込み付勢手段の付勢力に抗して停止位置から移動開始位置に押し出すように構成されていることを特徴とするドア装置。
【請求項３】
開き位置及び閉じ位置の間を移動してドア開口部を開閉するドアと、
上記ドアの開き位置及び閉じ位置のうちの少なくとも一方を移動開始位置とし他方を停止位置として、ドアが移動開始位置から停止位置に移動する際に該停止位置近くでドアを該ドアの移動方向に付勢する引込み付勢手段と、
上記引込み付勢手段によるドアの移動を減衰させる緩衝機構と、
磁石の吸引磁力によって上記ドアを停止位置に引き込んで保持する保持機構とを備え、
上記保持機構は、ドア側に設けられたドア側磁石と、
ドア開口部側に設けられた磁性部材又は開口部側磁石と、
上記ドア側磁石と磁性部材又は開口部側磁石との間に挿入される挿入位置と、ドア側磁石と磁性部材又は開口部側磁石との間に挿入されない非挿入位置との間を移動可能に設けられ、挿入位置ではドア側磁石における磁性部材側又は開口部側磁石側の対向磁極に該対向磁極と同じ磁極を対向させる挿入磁石とを備えており、
ドアが停止位置に保持されるときには、挿入磁石が非挿入位置に切り換わることで、ドア側磁石と磁性部材又は開口部側磁石との間の吸引磁力によりドアを停止位置に完全に保持する一方、ドアが停止位置から移動開始位置に逆方向に移動開始するときには、該ドアの逆方向の移動に連動して挿入磁石が挿入位置に切り換わることで、該挿入磁石とドア側磁石との同じ磁極間の反発磁力によりドアを引込み付勢手段の付勢力に抗して停止位置から移動開始位置に押し出すように構成されていることを特徴とするドア装置。
【請求項４】
開き位置及び閉じ位置の間を移動してドア開口部を開閉するドアと、
上記ドアの開き位置及び閉じ位置のうちの少なくとも一方を移動開始位置とし他方を停止位置として、ドアが移動開始位置から停止位置に移動する際に該停止位置近くでドアを該ドアの移動方向に付勢する引込み付勢手段と、
上記引込み付勢手段によるドアの移動を減衰させる緩衝機構とを備えたドア装置において、
上記引込み付勢手段のみではドアが停止位置に不完全に保持されるようになっており、
上記停止位置に不完全に保持されているドアを磁石の吸引磁力によって停止位置に完全に引き込んで保持する保持機構を備え、
上記保持機構は、ドア側に設けられたドア側磁石と、
ドア開口部側に設けられた磁性部材又は開口部側磁石と、
上記ドア側磁石と磁性部材又は開口部側磁石との間に挿入される挿入位置と、ドア側磁石と磁性部材又は開口部側磁石との間に挿入されない非挿入位置との間を移動可能に設けられ、挿入位置ではドア側磁石における磁性部材側又は開口部側磁石側の対向磁極に該対向磁極と同じ磁極を対向させる挿入磁石とを備えており、
ドアが停止位置に保持されるときには、挿入磁石が非挿入位置に切り換わることで、ドア側磁石と磁性部材又は開口部側磁石との間の吸引磁力によりドアを停止位置に完全に保持する一方、ドアが停止位置から移動開始位置に逆方向に移動開始するときには、該ドアの逆方向の移動に連動して挿入磁石が挿入位置に切り換わることで、該挿入磁石とドア側磁石との同じ磁極間の反発磁力によりドアを引込み付勢手段の付勢力に抗して停止位置から移動開始位置に押し出すように構成されていることを特徴とするドア装置。
【請求項５】
請求項１〜４のいずれか１つにおいて、
ドアを停止位置から移動開始位置に逆方向に移動させるときに引込み付勢手段の付勢力に抗して移動させるように構成されていることを特徴とするドア装置。
【請求項６】
請求項１〜５のいずれか１つにおいて、
保持機構は、磁石と磁性部材との間又は両磁石間の吸引磁力によりドアを停止位置に完全に保持するように構成されており、
上記ドアが停止位置に完全に保持されたときに、磁石と磁性部材とは又は両磁石は互いに当接せずに離隔していることを特徴とするドア装置。
【請求項７】
請求項１〜６のいずれか１つにおいて、
保持機構は、引込み付勢手段及び緩衝機構を有するドア装置に後付けされたものであることを特徴とするドア装置。
【請求項８】
請求項１〜７のいずれか１つにおいて、
ドアは、ドア開口部に沿って移動する引戸もしくは吊り戸、又は丁番によってドア開口部周縁に揺動可能に支持された揺動ドアであることを特徴とするドア装置。
【発明の詳細な説明】
【技術分野】
【０００１】
本発明は、開閉するドアを備えたドア装置に関し、特に、ドアが閉じ位置又は開き位置の一方から他方に移動するときにその移動の終わり近くでドアを付勢しながらゆっくりと停止状態に引き込んで保持する引込み機構を備えたものに関する。
【背景技術】
【０００２】
従来、この種の引込み機構を備えたドア装置は一般に知られている。例えば特許文献１に示されるものでは、上枠に固定されて吊り戸（引戸）をスライド移動可能に吊下げ支持するガイドレール内に引込み機構が設けられている。この引込み機構は、吊り戸の移動方向に延びるケース内の両端部に摺動可能に支持された取付部材と、この各取付部材に水平方向の軸回りに揺動可能に支持されたフック部材と、両フック部材同士を互いに近付く方向に付勢する引張ばねからなる引込みばねと、両フック部材間に連結されたエアダンパからなる緩衝機構とを備え、常時は両フック部材がそれぞれケースの切欠きスリットに係止されて両フック部材間で引込みばねが付勢された状態としておき、吊り戸が例えば開き位置（又は閉じ位置）から閉じ位置（又は開き位置）に移動したとき、その閉じ位置近くで前側のフック部材がガイドレールの固定突起に係合して切欠きスリットとの係止が解除されることで、引込みばねの付勢力が吊り戸とガイドレールとの間に作用するようにして吊り戸を閉じ方向（開き方向）に付勢しかつ緩衝機構によってその移動を減衰させるようにしている。
【０００３】
また、この他、特許文献２や特許文献３にも、別の構造ではあるが同様の引き戸用の引込み機構が示されている。引用文献４には、丁番によって支持された揺動ドアに対し同様の引込み機構が示されている。
【先行技術文献】
【特許文献】
【０００４】
【特許文献１】特許第４８５２５６９号
【特許文献２】特開２００３−２７８２８号公報
【特許文献３】特開２０１３−１７０４１５号公報
【特許文献４】特開２００９−２０３６５１号公報
【発明の概要】
【発明が解決しようとする課題】
【０００５】
ところで、これら従来のものでは、いずれもドアが例えば開き位置から閉じ位置に移動するときにばね（引込み付勢手段）の付勢力によってドアを付勢して閉じ位置に引き込むようにしているので、そのドアを閉じ位置に引き込んで完全に保持するためには、緩衝機構の減衰力を上回る大きさでかつ閉じ位置でもドアを閉じ方向に一定以上の付勢力で付勢できる程度の大きさのばね力を持つばねが必要である。
【０００６】
しかし、その場合、ドアが閉じ動作するときはスムーズに閉じるようになるものの、逆にドアを開くときには、ばね力に抗してドアを開くこととなり、ばね力が大きくなればドアの開き操作に大きな力を要し、高齢者や子供等にとって大きな負担になって使い勝手が悪くなるという問題があった。ばね力を小さくすれば、開き操作力は小さくなるが、ドアを閉じ位置に安定して保持することが困難になる。
【０００７】
尚、ドアが閉じ位置から開き位置に移動するときにばねの付勢力によってドアを付勢して開き位置に引き込むようにしている場合も、ドアの閉じ操作に大きな力を要するという同様の問題が生じる。
【０００８】
本発明は斯かる諸点に鑑みてなされたもので、その目的は、ドアを閉じ位置又は開き位置に引き込んで保持するための新規な機構を設けることにより、ドアを閉じ位置又は開き位置に完全に保持できるようにしつつ、そのドアを付勢するための引込み付勢手段の付勢力を小さくして、ドアを逆方向に操作する際の操作力を低減しようとすることにある。
【課題を解決するための手段】
【０００９】
上記の目的の達成のため、この発明では、磁石の吸引磁力を利用し、ドアを閉じ位置又は開き位置に付勢する引込み付勢手段の付勢力を小さくした上で、磁石の吸引磁力によってドアを閉じ位置又は開き位置に引き込んで保持するようにした。
【００１０】
具体的には、第１の発明のドア装置は、開き位置及び閉じ位置の間を移動してドア開口部を開閉するドアと、このドアの開き位置及び閉じ位置のうちの少なくとも一方を移動開始位置とし他方を停止位置として、ドアが移動開始位置から停止位置に移動する際に該停止位置近くでドアを該ドアの移動方向に付勢する引込み付勢手段と、この引込み付勢手段によるドアの移動を減衰させる緩衝機構と、磁石の吸引磁力によって上記ドアを停止位置に引き込んで保持する保持機構とを備えている。そして、この保持機構は、ドア開口部側及びドア側にそれぞれ設けられた磁石と、一方の磁石において他方の磁石側の対向磁極が該対向磁極と異なる磁極又は同じ磁極と対向するように磁極の対向状態を切り換える磁極切換機構とを備えており、この磁極切換機構は、ドアが停止位置に保持されるときには、一方の磁石の上記対向磁極を該対向磁極と異なる磁極と対向するように切り換えることで、異なる磁極間の吸引磁力によりドアを停止位置に完全に保持する一方、ドアが停止位置から移動開始位置に逆方向に移動開始するときには、該ドアの逆方向の移動に連動して、一方の磁石の上記対向磁極を該対向磁極と同じ磁極と対向するように切り換えることで、同じ磁極間の反発磁力によりドアを引込み付勢手段の付勢力に抗して停止位置から移動開始位置に押し出すように構成されていることを特徴とする。
【００１１】
第２の発明は、開き位置及び閉じ位置の間を移動してドア開口部を開閉するドアと、このドアの開き位置及び閉じ位置のうちの少なくとも一方を移動開始位置とし他方を停止位置として、ドアが移動開始位置から停止位置に移動する際に該停止位置近くでドアを該ドアの移動方向に付勢する引込み付勢手段と、この引込み付勢手段によるドアの移動を減衰させる緩衝機構とを備えたドア装置において、上記引込み付勢手段のみではドアが停止位置に不完全に保持されるようになっており、その停止位置に不完全に保持されているドアを磁石の吸引磁力によって停止位置に完全に引き込んで保持する保持機構を備えている。そして、この保持機構は、ドア開口部側及びドア側にそれぞれ設けられた磁石と、一方の磁石において他方の磁石側の対向磁極が該対向磁極と異なる磁極又は同じ磁極と対向するように磁極の対向状態を切り換える磁極切換機構とを備えており、この磁極切換機構は、ドアが停止位置に保持されるときには、一方の磁石の上記対向磁極を該対向磁極と異なる磁極と対向するように切り換えることで、異なる磁極間の吸引磁力によりドアを停止位置に完全に保持する一方、ドアが停止位置から移動開始位置に逆方向に移動開始するときには、該ドアの逆方向の移動に連動して、一方の磁石の上記対向磁極を該対向磁極と同じ磁極と対向するように切り換えることで、同じ磁極間の反発磁力によりドアを引込み付勢手段の付勢力に抗して停止位置から移動開始位置に押し出すように構成されていることを特徴とする。
【００１２】
第３の発明のドア装置は、開き位置及び閉じ位置の間を移動してドア開口部を開閉するドアと、このドアの開き位置及び閉じ位置のうちの少なくとも一方を移動開始位置とし他方を停止位置として、ドアが移動開始位置から停止位置に移動する際に該停止位置近くでドアを該ドアの移動方向に付勢する引込み付勢手段と、この引込み付勢手段によるドアの移動を減衰させる緩衝機構と、磁石の吸引磁力によって上記ドアを停止位置に引き込んで保持する保持機構とを備えている。そして、この保持機構は、ドア側に設けられたドア側磁石と、ドア開口部側に設けられた磁性部材又は開口部側磁石と、これらドア側磁石と磁性部材又は開口部側磁石との間に挿入される挿入位置、及びドア側磁石と磁性部材又は開口部側磁石との間に挿入されない非挿入位置の間を移動可能に設けられ、挿入位置ではドア側磁石における磁性部材側又は開口部側磁石側の対向磁極に該対向磁極と同じ磁極を対向させる挿入磁石とを備えており、ドアが停止位置に保持されるときには、挿入磁石が非挿入位置に切り換わることで、ドア側磁石と磁性部材又は開口部側磁石との間の吸引磁力によりドアを停止位置に完全に保持する一方、ドアが停止位置から移動開始位置に逆方向に移動開始するときには、該ドアの逆方向の移動に連動して挿入磁石が挿入位置に切り換わることで、その挿入磁石とドア側磁石との同じ磁極間の反発磁力によりドアを引込み付勢手段の付勢力に抗して停止位置から移動開始位置に押し出すように構成されていることを特徴とする。
【００１３】
第４の発明は、開き位置及び閉じ位置の間を移動してドア開口部を開閉するドアと、このドアの開き位置及び閉じ位置のうちの少なくとも一方を移動開始位置とし他方を停止位置として、ドアが移動開始位置から停止位置に移動する際に該停止位置近くでドアを該ドアの移動方向に付勢する引込み付勢手段と、この引込み付勢手段によるドアの移動を減衰させる緩衝機構とを備えたドア装置において、上記引込み付勢手段のみではドアが停止位置に不完全に保持されるようになっており、その停止位置に不完全に保持されているドアを磁石の吸引磁力によって停止位置に完全に引き込んで保持する保持機構を備えている。そして、この保持機構は、ドア側に設けられたドア側磁石と、ドア開口部側に設けられた磁性部材又は開口部側磁石と、これらドア側磁石と磁性部材又は開口部側磁石との間に挿入される挿入位置、及びドア側磁石と磁性部材又は開口部側磁石との間に挿入されない非挿入位置の間を移動可能に設けられ、挿入位置ではドア側磁石における磁性部材側又は開口部側磁石側の対向磁極に該対向磁極と同じ磁極を対向させる挿入磁石とを備えており、ドアが停止位置に保持されるときには、挿入磁石が非挿入位置に切り換わることで、ドア側磁石と磁性部材又は開口部側磁石との間の吸引磁力によりドアを停止位置に完全に保持する一方、ドアが停止位置から移動開始位置に逆方向に移動開始するときには、該ドアの逆方向の移動に連動して挿入磁石が挿入位置に切り換わることで、その挿入磁石とドア側磁石との同じ磁極間の反発磁力によりドアを引込み付勢手段の付勢力に抗して停止位置から移動開始位置に押し出すように構成されていることを特徴とする。
【００１４】
第５の発明は、第１〜第４の発明のいずれか１つにおいて、ドアを停止位置から移動開始位置に逆方向に移動させるときに引込み付勢手段の付勢力に抗して移動させるように構成されていることを特徴とする。
【００１５】
これらの発明では、ドアが移動開始位置から停止位置に移動するとき、その停止位置近くで引込み付勢手段が作用し、引込み付勢手段の付勢力によってドアが付勢されて自動的に停止位置に引き込まれるとともに、その移動が緩衝機構の減衰作用によって減速され、このことによってドアは停止位置にゆっくりと移動して引き込まれる。そして、その引込み付勢手段の付勢力が小さいと、引込み付勢手段のみではドアが停止位置に完全に保持されないことになるが、その場合にも保持機構が磁石の吸引磁力によってドアを吸引して停止位置に完全に保持する。このように、引込み付勢手段の付勢力が小さくても、ドアが停止位置に完全に安定して保持されるようになることで、その引込み付勢手段の付勢力が小さくなった分、ドアを停止位置から移動開始位置に向けて引込み付勢手段の付勢力に抗して逆方向に移動させるときの操作力が小さくて済み、よってドア装置の使い勝手を良好にすることができる。
【００１６】
特に、第１及び第２の発明では、ドアが停止位置に保持されたときに、磁極切換機構により、ドア開口部側及びドア側にそれぞれ設けられている磁石のうちの一方の磁石の他方の磁石側の対向磁極が該対向磁極と異なる磁極と対向するように切り換えられ、この異なる磁極間の吸引磁力によってドアが閉じ位置に完全に保持される。そして、この状態から、ドアが停止位置から移動開始位置に逆方向に移動開始する際、その移動に連動して、磁極切換機構により、一方の磁石の対向磁極が該対向磁極と同じ磁極と対向するように切り換えられる。このことで、同じ磁極間に反発磁力が生じ、この反発磁力によってドアが引込み付勢手段の付勢力に抗して停止位置から移動開始位置に逆方向に押し出される。この押出力により、ドアを停止位置から移動開始位置に逆方向に移動させる際の操作力がアシストされるようになり、その操作力をさらに小さくすることができる。
【００１７】
また、特に、第３及び第４の発明では、ドアが停止位置に保持されたときに、挿入磁石は非挿入位置に位置して、ドア側磁石はドア開口部側の磁性部材又は開口部側磁石に挿入磁石を介在することなく直接対向し、このドア側磁石と磁性部材又は開口部側磁石との間の吸引磁力によってドアが閉じ位置に完全に保持される。そして、この状態から、ドアが停止位置から移動開始位置に逆方向に移動開始する際、その移動に連動して、挿入磁石が挿入位置に移動してドア側磁石とドア開口部側の磁性部材又は開口部側磁石との間に挿入され、挿入磁石の磁極とドア側磁石の対向磁極とが同じ磁極で対向するように切り換えられる。この同じ磁極間の反発磁力によってドアが引込み付勢手段の付勢力に抗して停止位置から移動開始位置に逆方向に押し出され、この押出力により、ドアを停止位置から移動開始位置に逆方向に移動させる際の操作力がアシストされ、その操作力をさらに小さくすることができる。
【００１８】
第６の発明は、第１〜第５の発明のいずれか１つにおいて、保持機構は、磁石と磁性部材との間又は両磁石間の吸引磁力によりドアを停止位置に完全に保持するように構成されており、上記ドアが停止位置に完全に保持されたときに、磁石と磁性部材とは又は両磁石は互いに当接せずに離隔していることを特徴とする。
【００１９】
この第６の発明では、保持機構によりドアが停止位置にあるとき、その保持機構における磁石と磁性部材又は磁石との間の吸引磁力によりドアが閉じ位置に完全に保持される。そのとき、磁石と磁性部材とは又は磁石同士は互いに当接せずに離隔しているので、ドアが停止位置に完全に保持される際に磁石と磁性部材又は磁石とが衝突しないようになり、その衝突に起因する異音（衝突音）の発生を防いで違和感をなくすことができる。
【００２０】
第７の発明は、第１〜第６の発明のいずれか１つにおいて、上記保持機構は、引込み付勢手段及び緩衝機構を有するドア装置に後付けされたものであることを特徴とする。
【００２１】
この第７の発明では、磁石を備えた保持機構が、引込み付勢手段及び緩衝機構を有する既存のドア装置に後付けされるので、その既存のドア装置のドアの操作力が引込み付勢手段の付勢力によって大きい場合に、その引込み付勢手段の付勢力を小さくし、それに合わせて緩衝機構の減衰力も調整した上で、保持機構を追加すればよく、ドアを停止位置に完全に安定して保持しながら、ドアを停止位置から移動開始位置に向けて移動させるときの操作力を小さくでき、既存のドア装置の使い勝手の向上を図ることができる。
【００２２】
第８の発明は、第１〜第７の発明のいずれか１つにおいて、ドアは、ドア開口部に沿って移動する引戸もしくは吊り戸、又は丁番によってドア開口部周縁に揺動可能に支持された揺動ドアであることを特徴とする。
【００２３】
この第８の発明では、引戸、吊り戸、又は揺動ドアを移動開始位置から停止位置に付勢する引込み付勢手段の付勢力が小さくても、ドアが停止位置に完全に安定して保持されるようになり、ドアを停止位置から移動開始位置に向けて引込み付勢手段の付勢力に抗して逆方向に移動させるときの操作力が小さくて済み、ドア装置の使い勝手を良好にすることができる。
【発明の効果】
【００２４】
以上説明したように、本発明によると、磁石の吸引磁力によってドアを停止位置に引き込んで保持する保持機構を設けたことにより、ドアを移動開始位置から停止位置に付勢する引込み付勢手段の付勢力が小さくても、ドアが停止位置に完全に安定して保持されるようになり、ドアを停止位置から移動開始位置に向けて引込み付勢手段の付勢力に抗して逆方向に移動させるときの操作力を小さくしてドア装置の使い勝手の向上を図ることができる。また、ドアが停止位置から移動開始位置に逆方向に移動開始する際、その移動に連動して、同じ磁極間に生じた反発磁力によってドアを引込み付勢手段の付勢力に抗して押し出して、ドアを停止位置から移動開始位置に逆方向に移動させる際の操作力をアシストすることができ、その操作力をさらに小さくすることができる。
【００２５】
特に、第６の発明によると、ドアが停止位置に完全に保持されたときに、磁石と磁性部材又は磁石とが互いに当接せずに離隔するようにしたことにより、ドアが停止位置に完全に保持される際に磁石と磁性部材又は磁石との衝突に起因する異音の発生を防いで違和感をなくすことができる。
【図面の簡単な説明】
【００２６】
【図１】図１は、参考形態に係るドア装置としての吊り戸装置を概略的に示す正面図である。
【図２】図２は、ドア装置のドアが閉じ位置に引き込まれる状態を示す図１相当図である。
【図３】図３は、保持機構を示す斜視図である。
【図４】図４は、ドアの閉じ位置からの距離と閉じ位置への引込み力との関係を示す図である。
【図５】図５は、保持機構の変形例を拡大して示す正面図である。
【図６】図６は、本発明の実施形態において、磁極の対向状態を切り換える構成の例を模式的に示す説明図である。
【図７】図７は、実施例においてドアの閉じ位置からの距離と開き操作力との関係を試験したときの結果を示す表である。
【図８】図８は、実施例においてドアの閉じ位置からの距離と開き操作力との関係を試験したときの結果を示す図である。
【発明を実施するための形態】
【００２７】
以下、本発明の実施形態を図面に基づいて詳細に説明する。以下の参考形態及び実施形態の説明は、本質的に例示に過ぎず、本発明、その適用物或いはその用途を制限することを意図するものでは全くない。
【００２８】
（参考形態）
図１及び図２は参考形態に係るドア装置としての吊り戸装置Ｄを概略的に示し、１は建物の開口周縁部に施工されたドア枠であって、このドア枠１は戸先側及び戸尻側の左右縦枠２，３と、両縦枠２，３の上端部間に架け渡されて固定された上枠４とを有する。上枠４の左右中央部とその真下の床部Ｆとの間には前後１対の方立５，５（前側のみを示す）が立設され、この両方立５，５と戸尻側縦枠２の前後両側部との間にはそれぞれ前後１対の側壁パネル６，６（前側のみを示す）が張り渡されており、この両側壁パネル６，６間に、方立５，５間を後述のドア９の出入口とするドア収納部（戸袋）が形成され、ドア枠１の戸先側縦枠２と上枠４と方立５と床部Ｆとが囲む部分にドア開口部７が形成されている。
【００２９】
ドア枠１の上枠４下面には、上枠４の長さ方向に延びる凹溝（図示せず）が形成され、その凹溝内には上吊りレール１０が固定されている。この上吊りレール１０には上記ドア開口部７を開閉するドア９（吊り戸）が開き位置及び閉じ位置の間を左右方向にスライド移動可能に吊下げ支持されており、このドア９が図で右端の開き位置に移動してドア収納部内に収納されたときにドア開口部７が開かれる一方、図で左端の閉じ位置に移動してドア収納部から突出したときにはドア開口部７が閉じられるようになっている。９ａはドア９の戸先側に取り付けられた引手である。
【００３０】
上記上吊りレール１０内には、その内部をガイドローラ（図示せず）の転動により移動してドア９をスライド移動させる左右（戸先側及び戸尻側）の吊り車（図示せず）と、この両吊り車に連結され、ドア９が開き位置から閉じ位置に移動するとき、及び逆に閉じ位置から開き位置に移動するときに、その移動終わりの停止位置（閉じ位置又は開き位置）から手前側に所定距離（例えば６０ｍｍ）離れたトリガ位置でドア９を目的の停止位置にゆっくりと引き込む引込み機構１１（図１及び図２で斜線部分にて示す）とが収容されている。
【００３１】
上記引込み機構１１は、引込み付勢手段としての引込みばねと、気体や液体等の流体圧を利用した減衰機構とを組み合わせた公知構造のものであり、引込みばね及び減衰機構を備えていればどのようなものでも利用可能であるので、ここでは詳細な説明及び図示は省略する。具体例としては、例えば特開２０１３−１７０４１５号公報、特開２０１３−１６７１１３号公報、或いは特許第４９８０１６１号、特許第５３８４９７５号、特許第５４４８７３０号、特許第５４７２９２５号、特許第５４８０１０４号等に示されるものを用いることができる。一例として、特開２０１３−１７０４１５号公報に示される引込み機構１１を用いた場合について説明すると、この引込み機構１１は、図示しないが、ドア９の移動方向に沿って延びるガイド部内の両端部に摺動可能に配置支持された１対のキャッチ部と、これら両キャッチ部同士を互いに近付く方向に付勢する引込みばね（引込み付勢手段）と、両キャッチ部間に連結されたダンパユニット（緩衝機構）とを備えている。そして、常時は両キャッチがそれぞれガイド部に対し、各キャッチのリンクピンがガイド部内側面の切欠きに当接することによって移動不能にロック保持されて、両キャッチ間で引込みばねが付勢された待機状態としておき、ドア９が例えば開き位置（又は閉じ位置）から閉じ位置（又は開き位置）に移動したとき、その移動終わり近くのトリガ位置で移動方向前側のキャッチがその内包ブロックと当接ブロックとの間に上吊りレール１０内上面に設けたトリガ用被補足部材を捕捉するとともに、それに伴いリンクピンが当接ブロックの傾斜孔と内包ブロックの上下方向の誘導孔とに誘導されて上昇して、そのガイド部内側面の切欠きとのロック保持が解除されることで、引込みばねの付勢力をドア９と上吊りレール１０との間に作用させ、この付勢力によりドア９を閉じ方向（又は開き方向）に付勢するとともに、その移動を緩衝機構によって減衰させて減速し、このことによってドア９が閉じ位置（又は開き位置）にゆっくりと移動して引き込まれるようになっている。本参考形態では、このような引込み機構１１を用いることができる。
【００３２】
このとき、上記引込みばねは、ドア９の開き位置及び閉じ位置のうちの一方を移動開始位置とし他方を停止位置として、ドア９が移動開始位置から停止位置に移動する際に該停止位置近くのトリガ位置でドア９を該ドア９の移動方向に付勢するものであり、緩衝機構は、ドア９が停止位置に近付くに連れて減速するように引込みばねによるドア９の移動を減衰させるものである。また、ドア９を停止位置から移動開始位置に逆方向に移動させるときに、上記トリガ位置に達するまでの間は上記引込みばねの付勢力に抗して移動させるように構成されている。
【００３３】
本発明の特徴として、磁石２２の吸引磁力によってドア９を停止位置に引き込んで保持する閉じ側及び開き側（戸先側及び戸尻側）の２つの保持機構２０，２１が設けられている。例えば上記引込みばね（引込み付勢手段）のみではドア９が停止位置に完全に保持されないようになっており、保持機構２０，２１は、その停止位置に不完全に保持されているドア９を磁石２２の吸引磁力によって当該停止位置に完全に引き込んで保持するものである。
【００３４】
具体的には、図３にも示すように、閉じ側保持機構２０は、ドア９の戸先側端部である左端部の前面において所定の高さ位置に取付固定された磁石２２（永久磁石）と、ドア枠１の戸先側縦枠２内面（右側面）の前側において上記磁石２２に対応する高さ位置に取付固定された磁性体からなる磁性部材２３（磁性片）とを備えており、ドア９が閉じ位置に移動したときに、ドア９側の磁石２２でドア枠１側の磁性部材２３を吸引磁力によって吸引することにより、そのドア９を閉じ位置に完全に保持するようにしている。
【００３５】
また、開き側保持機構２１は、ドア９の戸尻側端部である右端部の前面において所定の高さ位置に取付固定された磁石２２（永久磁石）と、ドア枠１のドア収納部内に位置する戸尻側縦枠３内面（左側面）の前側において上記磁石２２に対応する高さ位置に取付固定された磁性部材２３とを備え、ドア９が開き位置に移動したときに、ドア９側の磁石２２でドア枠１側の磁性部材２３を吸引磁力によって吸引することにより、そのドア９を開き位置に完全に保持するようにしている。尚、閉じ側及び開き側保持機構２０，２１は同じ構造であるので、磁石２２及び磁性部材２３は同じ符号を付して説明する。
【００３６】
上記磁石２２及び磁性部材２３の取付位置は特に限定されず、ドア９の停止位置で両者が対向するように取り付ければよい。
【００３７】
ドア９が停止位置に完全に保持されたときに、上記ドア９側の磁石２２とドア枠１側の磁性部材２３との間で互いに吸引磁力が働く必要があるが、それぞれの対向面同士は互いに当接せずに僅かな間隔を空けて離隔するようにしてもよい。こうすれば、ドア９が停止位置に完全に保持される際に磁石２２と磁性部材２３とが互いに衝突しないようになり、その衝突に起因する異音（衝突音）の発生を防いで違和感をなくすことができる。
【００３８】
したがって、上記参考形態では、例えばドア９が開き位置（移動開始位置）から閉じ位置（停止位置）に左方向に向かって移動して閉じるとき、その閉じ位置近くのトリガ位置（閉じ位置から６０ｍｍ離れた位置）で引込み機構１１の引込みばねが作用し、その付勢力によってドア９が閉じ方向に付勢されて閉じ位置に自動的に引き込まれるとともに、その移動が緩衝機構の減衰作用によって減速され、このことによってドア９は閉じ位置にゆっくりと移動して引き込まれる。一方、この閉じ位置を移動開始位置としてドア９が閉じ位置から開き位置（停止位置）に右方向に向かって移動して開くときにも、その開き位置近くのトリガ位置（開き位置から６０ｍｍ離れた位置）で引込み機構１１の引込みばねが作用し、その付勢力によってドア９が開き方向に付勢されて開き位置に自動的に移動するとともに、その移動が緩衝機構の減衰作用によって減速され、ドア９は開き位置にゆっくりと移動して引き込まれる。
【００３９】
また、ドア９を閉じ位置又は開き位置（いずれも停止位置）からそれぞれ元の開き位置又は閉じ位置（同移動開始位置）に逆方向に移動させるときに引込みばねの付勢力に抗して移動させる。
【００４０】
このとき、図４に破線にて示すように、上記引込みばねのばね力である付勢力が大きいと、ドア９が閉じ位置又は開き位置（停止位置）から例えば６０ｍｍから離れたトリガ位置までの範囲の引込み力は大きいので、同様に例えば１０ｍｍから離れた位置までの範囲の引込み力も大きくなり、閉じ位置又は開き位置に完全に保持することができるが、ドア９を閉じ位置又は開き位置（停止位置）からそれぞれ開き位置又は閉じ位置（移動開始位置）に向けて引込みばねの付勢力に抗して逆方向に移動させるときの操作力は大きくなり、ドア９がトリガ位置に向かうのに比例して増大する。
【００４１】
これに対し、図４に一点鎖線で示すように、引込みばねのばね力である付勢力が小さいと、上記ドア９を閉じ位置又は開き位置（停止位置）からそれぞれ開き位置又は閉じ位置（移動開始位置）に向けて移動させるときの操作力は小さくなるものの、引込みばねのみではドア９が閉じ位置又は開き位置（停止位置）から１０ｍｍから離れた位置までの範囲の引込み力も下がるので、その閉じ位置又は開き位置に完全に保持されないことになる。
【００４２】
しかし、本参考形態では、図４に実線にて示すように、その場合にもドア９が閉じ位置又は開き位置に至る近傍でそれぞれ閉じ側及び開き側保持機構２０，２１の磁石２２と磁性部材２３との間で吸引磁力が働き、この吸引磁力によってドア９の引込み力が大に確保され、ドア９が吸引されて閉じ位置又は開き位置に完全に保持される。
【００４３】
すなわち、このように、引込みばねの付勢力が小さくても、保持機構２０，２１の磁石２２，２２による吸引磁力によりドア９が閉じ位置又は開き位置に完全に安定して保持されるようになるので、その引込みばねの付勢力が小さくなった分だけ、ドア９を閉じ位置又は開き位置（停止位置）からそれぞれ開き位置又は閉じ位置（移動開始位置）に向けて引込みばねの付勢力に抗して逆方向に移動させるときの操作力が小さくて済む。このことによって吊り戸装置Ｄ（ドア装置）の使い勝手を良好にすることができる。
【００４４】
尚、図４では、ドア９を開き位置又は閉じ位置（移動開始位置）からそれぞれ閉じ位置又は開き位置（停止位置）まで移動させる際にそのドア９の移動のための荷重を引込み力として表している。
【００４５】
上記の引込み付勢手段としての引込みばねと、流体圧を利用した減衰機構とを組み合わせた引込み機構１１が既に設けられている既存の吊り戸装置Ｄ（ドア装置）があり、その引込みばねの付勢力が大きいことが原因で、ドア９を閉じ位置又は開き位置（停止位置）からそれぞれ開き位置又は閉じ位置（移動開始位置）に向けて引込みばねの付勢力に抗して逆方向に移動させるときの操作力が大きい場合に、その吊り戸装置Ｄに対し上記閉じ側及び開き側保持機構２０，２１を後付けすることもできる。こうして、引込みばねび緩衝機構を組み合わせた引込み機構１１を有する既存の吊り戸装置Ｄのドア９の操作力が大きい場合でも、その引込みばねの付勢力を小さくし、かつそれに合わせて緩衝機構の減衰力も調整し、その上で、保持機構２０，２１を後付けで追加すれば、既存の吊り戸装置Ｄ（ドア装置）についても、ドア９を停止位置に完全に安定して保持しながら、ドア９を停止位置から移動開始位置に向けて移動させるときの操作力を小さくでき、その使い勝手を向上させることができる。
【００４６】
（他の参考形態）
上記参考形態では、ドア９の戸先側及び戸尻側端部の前面に磁石２２，２２を、またドア枠１の戸先側縦枠２及び戸尻側縦枠３の各内面の前側に磁性部材２３，２３をそれぞれ取り付けているが、他の位置に取り付けることもできる。例えば図５に示す例では、上吊りレール１０の内部を移動してドア９をスライド移動させる戸先側及び戸尻側の吊り車１２，１２において、その各々の転動ローラ１２ｂを回転可能に支持するベース１２ａの先端に磁性部材２３が取り付けられている。上吊りレール１０内の戸先側及び戸尻側端部にはそれぞれ磁石２２，２２が取り付けられている（図５は戸先側のみを示している）。この磁石２２は、図５で矢印にて示すように左右方向の位置、つまりドア９側の磁性部材２３に対する対向位置を例えばねじ等によって調整可能に取り付けられており、この位置調整によってドア９の停止位置（閉じ位置又は開き位置）での吸引磁力を調整できるようにしている。図５中、１２ｃは吊り車１２にドア９を吊り下げて取り付ける吊り下げ部である。
【００４７】
尚、図１及び図２に示す上記参考形態においても、ドア枠１の磁石２２を同様にして位置調整可能としてもよいのは勿論である。
【００４８】
上記保持機構２０，２１としては、上記のようにドア９側に磁石２２を、またドア枠１側に磁性部材２３をそれぞれ取付固定するものに代え、逆にドア枠１側に磁石２２を、またドア９側に磁性部材２３をそれぞれ取付固定したものを用いることもできる。
【００４９】
また、ドア９側及びドア枠１側の双方にそれぞれ磁石２２，２２を取付固定するようにすることもできる。その場合、両磁石２２，２２はドア９の停止位置で各々の異なる磁極が対向するように取付固定して、両磁石２２，２２間の異磁極の吸引磁力によりドア９を停止位置に完全に保持するように構成する必要がある。
【００５０】
（実施形態）
また、そのようにドア９側及びドア枠１側の双方に磁石２２，２２を取り付ける場合に、一方の磁石２２において他方の磁石２２と対向する部分の対向磁極が該対向磁極と異なる磁極又は同じ磁極と対向するように磁極の対向状態を切り換える磁極切換機構を設け、ドア９が停止位置に保持されるときには、一方の磁石２２の対向磁極が該対向磁極と異なる磁極と対向するように切り換え、それら異なる磁極間の吸引磁力によりドア９を停止位置に保持する一方、ドア９が停止位置から移動開始位置に移動する際に、そのドア９の移動に連動して、一方の磁石２２の対向磁極が該対向磁極と同じ磁極と対向するように切り換え、同じ磁極間の反発磁力によりドア９を引込みばねの付勢力に抗して停止位置から移動開始位置に向けて押し出すようにしてもよい。
【００５１】
図６は上記磁極の対向状態の切換えを例示しており、例えば図６（ａ）に示すように、一方の磁石２２（図６（ａ）左側のもの）を左右水平方向の軸心回りに揺動可能にし、その他方の磁石２２との対向部に位置する対向磁極として互いに異なる２種類の磁極を形成しておき、常時は図６（ａ）の左側部に示すように、ばね等の復元手段（図示せず）により一方の磁石２２の対向磁極が他方の磁石２２の磁極と異なるようにして、両磁極間の吸引磁力によりドア９を停止位置に保持する一方、ドア９が停止位置から逆方向に移動するときには、そのドア９の動きをリンク機構、ワイヤ機構、ギヤ機構、電気システム（ドア９の移動を検知するスイッチやセンサと、磁石２２を移動させる電動アクチュエータとを組み合わせたもの）等の連動機構（図示せず）によって一方の磁石２２に伝達して、図６（ａ）の右側部に示すように、その一方の磁石２２を復元手段の付勢力及び両磁石２２，２２間の吸引磁力に抗して回動させ、その対向磁極が他方の磁石２２の磁極と同じとなるようにして、両磁極間の反発磁力によりドア９を引込みばねの付勢力に抗して停止位置から押し出すようにすることができる。その場合、上記復元手段や連動機構により上記磁極切換機構が構成される。
【００５２】
また、この他、ドア９の停止位置で両磁石２２，２２が互いに当接せずに離隔していることを利用し、図６（ｂ）の左側部に示すように、両磁石２２，２２が異なる磁極で対向している状態から、図６（ｂ）の右側部に示すように、一方の磁石２２（図６（ｂ）左側のもの）を表裏反転させて両磁石２２，２２が同じ磁極で対向するように切り換えたり、図６（ｃ）の左側部に示すように、両磁石２２，２２が異なる磁極で対向している状態から、図６（ｃ）の右側部に示すように、両磁石２２，２２間に別の挿入磁石２４を挿入して、その挿入磁石２４両側の磁極がそれぞれ両磁石２２，２２の対向磁極と同じ磁極で対向するようにしたりしてもよく、いずれも上記と同様の作用が得られる。これらの場合、いずれも、一方の磁石２２において他方の磁石２２側の対向磁極が該対向磁極と異なる磁極又は同じ磁極と対向するように両磁石２２，２２の磁極の対向状態が切り換えられる。また、磁石２２を反転させ或いは両磁石２２，２２間に別の磁石を挿入するためには、両磁石２２，２２間の間隔をある程度大きくしておく必要がある。
【００５３】
尚、図６中、Ｎ，Ｓは磁極を表している。また、図６（ａ）〜（ｃ）の各々の左側部はドア９を停止位置に保持するときの磁極対向状態を、また右側部はドア９を停止位置から移動開始位置に操作するときの磁極対向状態をそれぞれ示している。
【００５４】
図６（ｃ）に示す構成において、ドア９側に磁石２２を取り付けるが、ドア枠１側には磁石２２に代えて磁性部材２３を取付固定するようにしてもよい。
【００５５】
すなわち、挿入磁石２４は、磁石２２及び磁性部材２３の間に挿入される挿入位置（図６（ｃ）の右側部に相当する）と、磁石２２及び磁性部材２３の間に挿入されない非挿入位置（図６（ｃ）の左側部に相当する）との間を移動可能に設けられたものとし、その挿入位置では、磁石２２における磁性部材２３側の対向磁極に該対向磁極と同じ磁極を対向させる。このことで、ドア９が停止位置に保持されるときには、挿入磁石２４が非挿入位置に切り換わることで、磁石２２及び磁性部材２３間の吸引磁力によりドア９を停止位置に完全に保持する一方、ドア９が停止位置から移動開始位置に逆方向に移動開始するときには、ドア９の逆方向の移動に連動して挿入磁石２４が挿入位置に切り換わることで、その挿入磁石２４と磁石２２との同じ磁極間の反発磁力によりドア９を引込みばねの付勢力に抗して停止位置から移動開始位置に押し出すようになっている。
【００５６】
この場合、ドア９が停止位置に保持されたときに、挿入磁石２４は非挿入位置に位置し、ドア９側の磁石２２はドア枠１側の磁性部材２３に挿入磁石２４を介在することなく直接対向する。この磁石２２と磁性部材２３との間の吸引磁力によってドア９が閉じ位置に完全に保持される。この状態から、ドア９が停止位置から移動開始位置に逆方向に移動開始する際、その移動に連動して、挿入磁石２４が挿入位置に移動してドア９側の磁石とドア枠１側の磁性部材２３との間に挿入され、挿入磁石２４の磁極と磁石２２の対向磁極とが同じ磁極で対向するように切り換えられる。この同じ磁極間の反発磁力によってドア９が引込みばねの付勢力に抗して停止位置から移動開始位置に逆方向に押し出される。尚、挿入磁石４が挿入位置にあるときに、その挿入磁石２４は磁性部材２３に吸引されるが、問題は生じない。
【００５７】
以上のいずれの場合でも、ドア９を停止位置から移動開始位置に逆方向に移動させる際の操作力がアシストされるようになり、その操作力をさらに小さくすることができる。
【００５８】
尚、上記引込み機構１１は、ドア９が開き位置から閉じ位置に移動する閉じ動作と、閉じ位置から開き位置に移動する開き動作とのいずれでも作動するものとしているが、いずれか一方のみ（例えば閉じ動作のみ）に作動するものでもよく、それに応じて閉じ側及び開き側保持機構２０，２１の一方のみを設けることで、同様の作用効果が期待できる。
【００５９】
また、ドア枠１はなくてもよく、ドア９周りの壁部に磁性部材２３を取り付けたり、磁石２２を設けたりすればよい。
【００６０】
さらに、ドア９は吊り戸の他、引戸でもよく、さらには丁番によってドア開口部７周縁に揺動可能に支持された揺動ドアであってもよい。
【実施例】
【００６１】
次に、具体的に実施した実施例について説明する。試験体として、引込み機構がドアの閉じ動作のみに作動する吊り戸装置（ドア装置）を施工した。引込み機構の構成は上記参考形態と同じである。吊り戸としてのドアの重さは３０ｋｇ（本体１９ｋｇ＋錘１１ｋｇ）であり、幅は１６４５ｍｍ、高さは２０４５ｍｍである。
【００６２】
（実施例）
上記参考形態と同様に、引込み機構の引込みばねは軽量ドア用でばね力が小さいものとし、ドア側に磁石を、またドア枠の戸先側縦枠に磁性部材をそれぞれ対応して取付固定し、ドアが閉じ位置に磁石と磁性部材との間の吸引磁力によって引き込まれて保持されるようにした。磁石の磁力は最も強い位置で１８０ｍＴとなるようにした。
【００６３】
（比較例１）
引込み機構の引込みばねは重量ドア用でばね力が大きいものとした。ドア側及びドア枠の戸先側縦枠に磁石や磁性部材は取り付けられておらず、ドアが閉じ位置に引込みばねの付勢力（引込み力）のみによって引き込まれて保持されるようにした。他は実施例と同じである。
【００６４】
（比較例２）
引込み機構の引込みばねは実施例と同様に軽量ドア用でばね力が小さいものとした。比較例１と同様に、ドア側及びドア枠の戸先側縦枠に磁石や磁性部材は取り付けられておらず、ドアが閉じ位置に引込みばねの付勢力（引込み力）のみによって引き込まれて保持されるようにした。他は実施例と同じである。
【００６５】
（試験）
ドアを閉じ位置から１０ｍｍ、３０ｍｍ、６０ｍｍ離れた位置に開くまでに必要な開き操作力を測定し、併せてドアの閉じ位置への引込み不良（ドアが閉じ位置に不完全に保持されている状態）の有無を確認した。その試験の結果を図７に表で、また図８にグラフでそれぞれ示す。
【００６６】
この試験結果を見ると、比較例１では、ドアが閉じ位置から０〜１０ｍｍの範囲にあるときの引込み力は大きくてドアの引込み不良は生じていないが、引込みばねの付勢力が大きい分だけドアの開き操作力が大きくなっている。
【００６７】
また、比較例２では、引込みばねの付勢力が小さい分だけドアの開き操作力が小さいが、ドアが閉じ位置から０〜１０ｍｍの範囲にあるときの引込み力も小さくなってドアの引込み不良が生じている。
【００６８】
これに対し、図８に破線で囲んだ部分で示すように、ドアが閉じ位置から０〜１０ｍｍの範囲にあるときには、実施例は比較例１と同等かそれ以上の引込み力を保持しており、ドアの引込み不良は生じていない。また、ドアの開き操作力も比較例１に比べ最大で２０％程度下がっており、その開き操作力が低減している。すなわち、開き操作力の低減と引込み力の増大による引込み不良の防止（停止位置への完全な保持）とを併せ図ることができることが判る。
【産業上の利用可能性】
【００６９】
本発明は、引込み機構が設けられたドア装置のドアを停止位置に完全に保持しつつ、その停止位置から移動開始位置に操作するときの操作力を低減できるので、極めて有用である。
【符号の説明】
【００７０】
Ｄ  吊り戸装置（ドア装置）
７  ドア開口部
９  ドア
１１  引込み機構
２０  閉じ側保持機構
２１  開き側保持機構
２２  磁石
２３  磁性部材
２４  挿入磁石
【図１】
0006031070.tif 000002
【図２】
0006031070.tif 000003
【図３】
0006031070.tif 000004
【図４】
0006031070.tif 000005
【図５】
0006031070.tif 000006
【図６】
0006031070.tif 000007
【図７】
0006031070.tif 000008
【図８】
0006031070.tif 000009